(57)【要約】【課題】ユーザによって指定された第１の検索条件に適合するとして検索された検索対象情報を、出力可能であることを保証する第２の検索条件を基に評価することのできる情報検索装置を提供する。【解決手段】情報検索装置は、ユーザによって指定された第１の検索条件に適合するとして検索された検索対象情報を、出力可能であることを保証する第２の検索条件を基に評価する評価手段と、評価手段による評価の結果を提示する提示手段と、を備える。【選択図】図１
2009064084.tif 000002
【特許請求の範囲】
【請求項１】
ユーザによって指定された第１の検索条件に適合するとして検索された検索対象情報を、出力可能であることを保証する第２の検索条件を基に評価する評価手段と、
前記評価手段による評価の結果を提示する提示手段と、
を有することを特徴とする情報検索装置。
【請求項２】
前記第２の検索条件を設定する検索条件設定手段と、
前記設定された第２の検索条件を記憶する検索条件記憶手段と、
を備え、
前記評価手段は、
前記検索条件記憶手段に記憶されている第２の検索条件に基づき前記検索対象情報を評価する、
ことを特徴とする請求項１記載の情報検索装置。
【請求項３】
前記提示手段は、
前記評価手段による前記検索対象情報の評価の結果が前記第２の検索条件に適合しない旨のときは、当該検索対象情報の評価の結果を区別して表示する、
ことを特徴とする請求項１または２記載の情報検索装置。
【請求項４】
前記提示手段は、
前記評価手段による前記検索対象情報の評価の結果が前記第２の検索条件に適合しない旨のときは、当該検索対象情報の評価の結果を区別して表示するとともに、当該検索対象情報の評価の結果に対応して前記第２の検索条件に適合しなかったことに起因して実行される所定の機能を示す機能情報を表示し、
前記提示手段に表示された前記機能情報に対応する所定の機能を実行させる指示を行う指示手段と、
前記指示手段による指示が実施されたときに、前記所定の機能を実行する実行手段と、
を備える、
ことを特徴とする請求項１または２記載の情報検索装置。
【請求項５】
前記第２の検索条件に関する属性の属性値に応じて、評価の結果に関するレベルを示す情報、視覚的に表示する場合の当該表示態様を示す情報、所定の機能を示す機能情報を設定する設定手段、を備え、
前記提示手段は、
前記評価手段による前記検索対象情報の評価の結果に対応する前記属性値に応じて、前記設定手段によって設定された情報を表示する、
ことを特徴とする請求項１または２記載の情報検索装置。
【請求項６】
前記提示手段に表示された前記機能情報に対応する所定の機能を実行させる指示を行う指示手段と、
前記指示手段による指示が行われたときに、前記所定の機能を実行する実行手段と、
を備えたことを特徴とする請求項５記載の情報検索装置。
【請求項７】
前記第２の検索条件は、
予め設定される複数の検索条件から構成され、
前記複数の検索条件の全部または一部に関して前記評価手段による評価処理のときに適用すべきか否かを指定する検索条件指定手段、を更に備え、
前記評価手段は、
前記検索条件指定手段によって指定された第２の検索条件に基づき、前記第１の検索条件に従って検索された検索対象情報を評価する、
ことを特徴とする請求項１〜６の何れか一項に記載の情報検索装置。
【請求項８】
第１の検索条件に従って検索された検索対象情報を、出力可能であることを保証する第２の検索条件を基に評価する評価処理過程と、
前記評価処理過程により評価された結果を提示手段に提示させる提示処理過程と、
をコンピュータに実行させることを特徴とする情報検索プログラム。
【発明の詳細な説明】
【技術分野】
【０００１】
本発明は、情報検索装置、情報検索プログラムに関する。
【背景技術】
【０００２】
一括して図面を出力する出図システムでは、一括出図の指示画面において上位の生産管理システムであるＰＤＭ（Ｐｒｏｄｕｃｔ  Ｄａｔａ  Ｍａｎａｇｅｍｅｎｔ：製品情報管理）からの指示、あるいは顧客ごとの運用管理上の指示に基づく検索条件が指定されると、その検索条件に合致する図面を、図面を格納している例えばデータベースの中から検索し、この検索によりヒットした図面を出力対象としている。
【０００３】
ところで、上記出図システムにおいては、上述した指示に基づく出図が必ずしも必要とされている出図でないケースが運用上発生することが知られており、例えば、図面番号の版指定において、指定された版が改訂され最新版の図面が存在するにもかかわらず、指示された版つまり旧版の図面を出力することがある。
【０００４】
なお、検索する装置あるいはシステムとしては、特許文献１から特許文献３に記載されたものが知られている。
【特許文献１】特開平０６−０６８１５３号公報
【特許文献２】特開平０７−３０２２６７号公報
【特許文献３】特開２００５−３３２３３８号公報
【発明の開示】
【発明が解決しようとする課題】
【０００５】
本発明は、ユーザによって指定された第１の検索条件に適合するとして検索された検索対象情報を、出力可能であることを保証する第２の検索条件を基に評価することのできる情報検索装置、情報検索プログラムを提供することを目的とする。
【課題を解決するための手段】
【０００６】
上記課題を解決するため、請求項１に記載の本発明の情報検索装置は、ユーザによって指定された第１の検索条件に適合するとして検索された検索対象情報を、出力可能であることを保証する第２の検索条件を基に評価する評価手段と、前記評価手段による評価の結果を提示する提示手段と、を有することを特徴とする。
【０００７】
請求項２に記載の発明は、上記請求項１に記載の発明において、前記第２の検索条件を設定する検索条件設定手段と、前記設定された第２の検索条件を記憶する検索条件記憶手段と、を備え、前記評価手段は、前記検索条件記憶手段に記憶されている第２の検索条件に基づき前記検索対象情報を評価する、ことを特徴とする。
【０００８】
請求項３に記載の発明は、上記請求項１または２に記載の発明において、前記提示手段は、前記評価手段による前記検索対象情報の評価の結果が前記第２の検索条件に適合しない旨のときは、当該検索対象情報の評価の結果を区別して表示する、ことを特徴とする。
【０００９】
請求項４に記載の発明は、上記請求項１または２に記載の発明において、前記提示手段は、前記評価手段による前記検索対象情報の評価の結果が前記第２の検索条件に適合しない旨のときは、当該検索対象情報の評価の結果を区別して表示するとともに、当該検索対象情報の評価の結果に対応して前記第２の検索条件に適合しなかったことに起因して実行される所定の機能を示す機能情報を表示し、前記提示手段に表示された前記機能情報に対応する所定の機能を実行させる指示を行う指示手段と、前記指示手段による指示が実施されたときに、前記所定の機能を実行する実行手段と、を備える、ことを特徴とする。
【００１０】
請求項５に記載の発明は、上記請求項１または２に記載の発明において、前記第２の検索条件に関する属性の属性値に応じて、評価の結果に関するレベルを示す情報、視覚的に表示する場合の当該表示態様を示す情報、所定の機能を示す機能情報を設定する設定手段、を備え、前記提示手段は、前記評価手段による前記検索対象情報の評価の結果に対応する前記属性値に応じて、前記設定手段によって設定された情報を表示する、ことを特徴とする。
【００１１】
請求項６に記載の発明は、上記請求項５に記載の発明において、前記提示手段に表示された前記機能情報に対応する所定の機能を実行させる指示を行う指示手段と、前記指示手段による指示が行われたときに、前記所定の機能を実行する実行手段と、を備えたことを特徴とする。
【００１２】
請求項７に記載の発明は、上記請求項１〜６の何れか一項に記載の発明において、前記第２の検索条件は、予め設定される複数の検索条件から構成され、前記複数の検索条件の全部または一部に関して前記評価手段による評価処理のときに適用すべきか否かを指定する検索条件指定手段、を更に備え、前記評価手段は、前記検索条件指定手段によって指定された第２の検索条件に基づき、前記第１の検索条件に従って検索された検索対象情報を評価する、ことを特徴とする。
【００１３】
上記課題を解決するため、請求項８に記載の本発明の情報検索プログラムは、第１の検索条件に従って検索された検索対象情報を、出力可能であることを保証する第２の検索条件を基に評価する評価処理過程と、前記評価処理過程により評価された結果を提示手段に提示させる提示処理過程と、をコンピュータに実行させることを特徴とする。
【発明の効果】
【００１４】
請求項１記載の発明によれば、ユーザによって指定された第１の検索条件に適合するとして検索された検索対象情報を、出力可能であることを保証する第２の検索条件を基に評価し、この評価した結果を提示することができる。
【００１５】
請求項２記載の発明によれば、検索条件記憶手段に記憶されている第２の検索条件に基づき、ユーザによって指定された第１の検索条件に適合するとして検索された検索対象情報を評価し、この評価した結果を提示することができる。
【００１６】
請求項３記載の発明によれば、第１の検索条件に適合するとして検索された検索対象情報が第２の検索条件に適合しないと評価されたときは、当該検索対象情報の評価の結果を視覚的に強調して表示することができる。
【００１７】
請求項４記載の発明によれば、第１の検索条件に適合するとして検索された検索対象情報が第２の検索条件に適合しないと評価されたときに表示される機能情報が指示されたときに、所定の機能を実行することができる。
【００１８】
請求項５記載の発明によれば、検索対象情報の評価の結果に対応し第２の検索条件に関する属性の属性値に応じて、評価の結果に関するレベルを示す情報、視覚的に表示する場合の当該表示態様を示す情報、所定の機能を示す機能情報を表示することができる。
【００１９】
請求項６記載の発明によれば、第２の検索条件に関する属性の属性値に応じて表示される機能情報が指示されたときに、所定の機能を実行することができる。
【００２０】
請求項７記載の発明によれば、複数の第２の検索条件の中の検索条件指定手段によって指定された全部または一部の第２の検索条件に基づき、第１の検索条件に従って検索された検索対象情報を評価することができる。
【００２１】
請求項８記載の発明によれば、ユーザによって指定された第１の検索条件に適合するとして検索された検索対象情報を、出力可能であることを保証する第２の検索条件を基に評価し、この評価した結果を表示手段に提示させるソフトウェアを提供することができる。
【発明を実施するための最良の形態】
【００２２】
以下、本発明の実施の形態を図面に基づいて詳細に説明する。なお、実施の形態を説明するための図面において同一の構成要素には原則として同一の符号を付し、その繰り返しの説明は省略する。
【００２３】
図１は、実施の形態に係る情報検索装置の機能構成を示している。
【００２４】
情報検索装置１は、図１に示すように、検索条件取得部１０、検索実行部２０、出力可能保証条件指定部３０、出力可能保証条件／検索結果レベル定義設定部４０、出力可能保証条件／検索結果レベル定義記録部５０、出力可能保証条件検索実行部６０、検索結果レベル判定部７０、検索結果レベル記憶部８０、アクション実行部９０、検索結果表示部１００、およびアクションボタン指示部１１０を備えている。
【００２５】
この情報検索装置１は、検索条件に従って、検索対象の情報（データ）が格納されているデータベース１２０を検索し、この検索した結果を提示する。
【００２６】
本実施の形態では、情報検索装置１は、検索対象の情報としての図面情報（図面データ）を検索する装置を想定している。しかし、検索対象の情報は、図面情報に限定されるとなく、文書情報などその種類は問わない。
【００２７】
検索条件取得部１０は、ユーザによって設定される例えば図面番号、版番号、ベンダー名などの一次検索条件（第１の検索条件）を取得する。
【００２８】
検索実行部２０は、検索条件取得部１０で取得された一次検索条件に従ってデータベース１２０を検索する。
【００２９】
検索結果表示部１００は、検索実行部２０による検索処理の結果を表示する部分であり、例えば図２に示すグラフィックユーザインタフェース（以下、「ＧＵＩ」という）を表示する。
【００３０】
ＧＵＩ２００は、図２に示すように、図面番号２０１、版番号２０２、ベンダー名２０３、結果（検索結果）２０４、アクション２０５の各項目を有している。
【００３１】
図２において、図面番号２０１、版番号２０２およびベンダー名２０３の各項目には、それぞれ図面番号、版番号およびベンダー名が設定され、これらの設定内容が第１の検索条件となる。
【００３２】
結果（検索結果）２０４の項目には、検索実行部２０による検索処理の結果として「ＯＫ」、「ＣＨＫ」および「ＮＧ」のいずれかが表示される。
【００３３】
アクション２０５の項目には、検索実行部２０による検索処理の結果に応じて所定のアクションボタンが表示される。例えば、その検索処理の結果が、「ＣＨＫ」または「ＮＧ」の場合に、所定のアクションに対応するアクションボタンが表示される。具体的には、「ＣＨＫ」の場合には「ビューワー」ボタンまたは「確認依頼」ボタンが表示され、「ＮＧ」の場合は「承認依頼」ボタンが表示される。
【００３４】
ちなみに図２においては、検索条件領域２０６に７つの１次検索条件が設定されている。
【００３５】
ところで、図２のＧＵＩ２００の「出力可能保証条件」ボタン２１０が選択（押下）されると、図示しない表示装置に図示しない管理ユーザインタフェースが表示され、ユーザはその管理ユーザインタフェースを用いて２次検索条件に関する情報を設定することができる。また「チェック」ボタン２２０を選択（押下）することにより、検索実行部２０による１次検索処理および出力可能保証条件検索実行部６０による２次検索処理が実行されるようになっている。
【００３６】
出力可能保証条件指定部３０は、後述する出力可能保証条件（第２の検索条件）の任意の項目（第２の検索条件）の選択を行うユーザインタフェースの機能を果たす。ユーザが入力装置（図示せず）を操作することにより、出力可能保証条件指定部３０による任意の項目（第２の検索条件）が選択される。この出力可能保証条件指定部３０は、上記検索条件指定手段の機能を果たす。
【００３７】
出力可能保証条件／検索結果レベル定義設定部４０は、出力可能であることを保証する条件を示す出力可能保証条件（第２の検索条件）および検索結果レベルを定義する管理ユーザインタフェースの機能を果たす。
【００３８】
また、出力可能保証条件／検索結果レベル定義設定部４０は、上記検索条件設定手段の機能を果たすとともに、後述する「結果レベル」、「識別色」、「アクション」を設定する上記設定手段の機能を果たす。
【００３９】
上述したＧＵＩ２００の「出力可能保証条件」ボタン２１０が選択（押下）されると、出力可能保証条件／検索結果レベル定義設定部４０は、出力可能保証条件および検索結果レベルを定義するための管理ユーザインタフェース（図示せず）を表示装置（図示せず）に表示させる。
【００４０】
そして、管理者は、表示された管理ユーザインタフェース（図示せず）に所定の情報（出力可能保証条件および検索結果レベル）を設定して、出力可能保証条件および検索結果レベルを定義する。この出力可能保証条件および検索結果レベルの定義内容の一例を、図３に示す。
【００４１】
図３に示す出力可能保証条件および検索結果レベルの定義内容（以下、「出力可能保証条件および検索結果レベルテーブル」という）３００は、条件選択設定３０１、出力可能保証条件名３０２、属性名３０３、評価順位３０４、必須設定３０５、属性値３０６、結果レベル３０７、識別色３０８、アクションラベル３０９、アクション３１０の各項目を有している。
【００４２】
図３において、条件選択設定３０１の項目には、例えば「出図承認」および「改訂要求」の属性名に対応する項目（出力可能保証条件）に対応して、出力可能保証条件指定部３０によって出力可能保証条件を適用すべきか否かを示す旨が任意に設定される。なお、「最新版保証」の属性名に対応する項目（出力可能保証条件）に関しては、必須の条件（必ず適用される出力可能保証条件）であるので、出力可能保証条件指定部３０によって出力可能保証条件を適用しない旨を設定することはできないようになっている。
【００４３】
出力可能保証条件名３０２の項目には、図面にかかわる事象（時間の経過に伴って発生する事象）例えば図面の改版、出図の承認、図面の改訂にそれぞれ対応する条件の名称としての「最新版保証」、「出図承認」、「改訂要求」が含まれている。
【００４４】
本実施の形態において、出力可能保証条件名「最新版保証」の２次検索条件は、最新版の図面であることを保証する条件（以下「最新版保証条件」とう）を意味し、出力可能保証条件名「出図承認」の２次検索条件は出図に関して承認されていること（承認済みであること）を保証する条件（以下「出図承認条件」という）を意味し、出力可能保証条件名「改訂要求」の２次検索条件は図面の改訂に関して確認されていること（改訂要求がないこと）を保証する条件（以下「改訂要求条件」という）を意味する。
【００４５】
属性名３０３の項目は、上述した出力可能保証条件名「最新版保証」、「出図承認」、「改訂要求」のそれぞれに対応する属性の名前が記述されている。
【００４６】
評価順位３０４の項目には、評価の順位が設定され、例えば「最新版保証」、「出図承認」および「改訂要求」の各出力可能保証条件名に対応して１位、２位および３位の順位が設定される。
【００４７】
必須設定３０５の項目には、「最新版保証」の出力可能保証条件名に対応して「必須」が、また「出図承認」および「改訂要求」の出力可能保証条件名に対応して「任意」が設定されている。この場合、検索処理のときに、「最新版保証」の出力可能保証条件は必須なので必ず適用され、「出図承認」および「改訂要求」の出力可能保証条件に関しては、条件選択設定３０１の項目において「適用すべき旨」が設定されている場合のみ、適用される。
【００４８】
属性値３０６の項目には、最新版保証条件、出図承認条件および改訂要求条の２次検索条件に対応して「Ｔｒｕｅ」と「Ｆａｌｓｅ」とが設定されている。
【００４９】
結果レベル３０７の項目には、最新版保証条件に対応して、属性値「Ｔｒｕｅ」のときは２次検索条件に適合する旨を示す「ＯＫ」が、属性値「Ｆａｌｓｅ」のときは２次検索条件に適合せずチェック（確認）が必要である旨を示す「要チェック」がそれぞれ設定されている。また、出図承認条件に対応して、属性値「Ｔｒｕｅ」のときは「ＯＫ」が、属性値「Ｆａｌｓｅ」のときは２次検索条件に適合しない旨を示す「ＮＧ」がそれぞれ設定されている。さらに改訂要求条件に対応して、属性値「Ｔｒｕｅ」のときは「要チェック」が、属性値「Ｆａｌｓｅ」のときは「ＯＫ」がそれぞれ設定されている。
【００５０】
上述した「ＯＫ」、「要チェック」および「ＮＧ」は、評価の結果に関するレベルを示す情報（結果レベル）を意味する。
【００５１】
識別色３０８の項目には、最新版保証条件にかかわる属性値「Ｆａｌｓｅ」に対応して「黄色」が、また出図承認条件にかかわる属性値「Ｆａｌｓｅ」に対応して「赤色」が、さらに改訂要求条にかかわる属性値「Ｔｒｕｅ」に対応して「青色」が、それぞれ設定されている。なお、これらの２次検索条件にかかわる前記属性値以外の属性値に対応して「なし」が設定され、色の指定は行われない。
【００５２】
上述した「黄色」、「赤色」および「青色」は、それぞれ視覚的に表示する場合の当該表示態様を示す情報（識別色）を意味する。
【００５３】
アクションラベル３０９の項目には、最新版保証条件にかかわる属性値「Ｔｒｕｅ」に対応して「ＮＵＬＬ」が、また属性値「Ｆａｌｓｅ」に対応して「ビューワー」がそれぞれ設定されている。また、出図承認条件にかかわる属性値「Ｔｒｕｅ」に対応して「ＮＵＬＬ」が、また属性値「Ｆａｌｓｅ」に対応して「承認依頼」がそれぞれ設定されている。さらに改訂要求条件にかかわる属性値「Ｔｒｕｅ」に対応して「確認依頼」が、また属性値「Ｆａｌｓｅ」に対応して「なし」がそれぞれ設定されている。
【００５４】
上述した「ビューワー」、「承認依頼」および「確認依頼」は、それぞれ所定の機能を示す機能情報（アクションラベル）を意味する。
【００５５】
アクション３１０の項目は、最新版保証条件にかかわる属性値「Ｆａｌｓｅ」、結果レベル「要チェック」、識別色「黄色」に対応して「ビューワー起動」（ビューワー起動のためのコマンド）が設定されている。また、出図承認条件にかかわる属性値「Ｆａｌｓｅ」、結果レベル「ＮＧ」、識別色「赤色」に対応して「承認依頼メール発送プログラム起動」（承認依頼メール発送プログラム起動のためのコマンド）が設定されている。さらに改訂要求条件にかかわる属性値「Ｔｒｕｅ」、結果レベル「要チェック」、識別色「青色」に対応して「出力確認依頼メール発送プログラム起動」（出力確認依頼メール発送プログラム起動のためのコマンド）が設定されている。ちなみに、ビューワーは、画像ファイルなどの内容を確認すためのソフトウェアである。このアクション３１０は、コマンド（アクションコマンド）を指定するユーザインタフェース（ＵＩ）の機能を果たす。
【００５６】
上述したアクションラベル「ビューワー」に対応するアクションコマンド「ビューワー」、アクションラベル「承認依頼」に対応するアクションコマンド「承認依頼メール発送プログラム起動」、アクションラベル「確認依頼」に対応するアクションコマンド「出力確認依頼メール発送プログラム起動」は、それぞれ所定の機能を意味する。
【００５７】
本実施の形態では、図示しない管理ユーザインタフェースは、図３に示す出力可能保証条件および検索結果レベルテーブル３００の項目３０１から項目３１０に対応する複数（この例では１０）の項目を有するインタフェースになっている。この管理ユーザインタフェースにおいては、項目３０１以外の項目３０２〜３１０に対応する９つの項目ついては例えば管理者によって設定され、個々のユーザは項目３０１に対応する項目についてのみ設定すればよいようになっている。なお、管理者が項目３０１のデフォルト値を設定できてもよい。
【００５８】
再度、図１を参照して説明すると、出力可能保証条件／検索結果レベル定義記録部５０は、出力可能保証条件および検索結果レベルテーブル（出力可能保証条件および検索結果レベルの定義情報）３００を保持する。この出力可能保証条件／検索結果レベル定義記録部５０は、上記検索条件記憶手段の機能を果たす。
【００５９】
出力可能保証条件検索実行部６０は、複数（この例では３つ）の２次検索条件のうち必須の２次検索条件および出力可能保証条件指定部３０により任意に選択された２次検索条件に従って検索を行う。つまり出力可能保証条件実行部６０は、検索実行部２０が１次検索条件に従って検索処理した結果を２次検索条件に基づき評価する。この出力可能保証条件実行部６０は、上記評価手段の機能を果たす。
【００６０】
つまり、出力可能保証条件検索実行部６０による評価の結果として属性値「Ｔｒｕｅ」または属性値「Ｆａｌｓｅ」を出力する。
【００６１】
検索結果レベル判定部７０は、出力可能保証条件検索実行部６０による評価の結果、および出力可能保証条件／検索結果レベル定義記憶部５０に定義されている定義内容つまり図３に示す出力可能保証条件および検索結果レベルテーブル３００を基づき、結果レベルおよび識別色を判定する。
【００６２】
検索結果レベル判定部７０は、前記評価の結果としての属性値（属性値「Ｔｒｕｅ」または属性値「Ｆａｌｓｅ」）に応じて、結果レベル３０７の項目に設定されたレベルつまり２次検索条件に適合する旨を示す「ＯＫ」、２次検索条件に適合せずチェック（確認）が必要である旨を示す「要チェック」、２次検索条件に適合しない旨を示す「ＮＧ」のいずれであるかを判定するとともに、識別色３０８の項目に設定された識別色「黄色」、「赤色。」および「青色」の何れであるかを判定する。
【００６３】
また、検索結果レベル判定部７０は、１つの一次検索条件に適合して検索された検索対象情報（図面）に関して、複数の２次検索条件に基づく評価の結果に対応して複数の結果レベルおよび識別色を判定した場合に、これら複数の結果レベルおよび識別色を判定したことを意味するフラグ（結果レベル複数存在フラグ）の値を「１」に設定する。
【００６４】
検索結果レベル記憶部８０は、検索結果レベル判定部７０によって判定された結果レベル、識別色および結果レベル複数存在フラグを記憶する。
【００６５】
例えば、出力可能保証条件（２次検索条件）が、最新版保証条件の場合のときは属性値「Ｆａｌｓｅ」に対応する結果レベル「要チェック」および識別色「黄色」を、また出図承認条件の場合のときは属性値「Ｆａｌｓｅ」に対応する結果レベル「ＮＧ」および識別色「赤色」を、さらに改訂要求条件の場合のときは属性値「Ｔｒｕｅ」に対応する結果レベル「要チェック」および識別色「青色」を、それぞれ記憶する。
【００６６】
また、検索結果レベル記憶部８０には、アクションラベルの情報も記憶されるようになっている。すなわち、検索結果レベル記憶部８０には、ＧＵＩ２００の結果２０４およびアクション１０５の各項目の表示内容（評価結果）にかかわる情報、結果レベル、識別色および結果レベル複数存在フラグ、アクションラベルの情報が記憶される。
【００６７】
アクションボタン指示部１１０は、図２に示すＧＵＩ２００のアクション２０５の項目に検索処理の結果として表示され、図３に示す出力可能保証条件および検索結果レベルテーブル３００のアクションラベル３０９の項目に設定されたアクションラベルに対応するコマンドボタン、例えばたコマンドボタン「ビューワー」、「承認依頼」、「確認依頼」の中で、起動させたいコマンドに対応するコマンドボタンを指示する。アクションボタン指示部１１０は、上記指示手段の機能を果たす。
【００６８】
アクション実行部９０は、アクションボタン指示部１１０によって指示されたアクションボタンに対応するコマンド（アクションコマンド）を起動する。このアクション実行部９０は、上記実行手段の機能を果たす。
【００６９】
本実施の形態では、最大３つの出力可能保証条件名「最新版保証」、「出図承認」、「改訂要求」に対応する「最新版保証条件」、「出図承認条件」および「改訂要求条件」の３つの２次検索条件（第２の検索条件）が設定可能になっている。もちろん、４以上の２次検索条件が設定可能になるように検索条件の項目を追加するようにしてもよい。
【００７０】
また、本実施の形態では、個々のユーザ（オペレータ）は、管理ユーザインタフェースにおいて、出力可能保証条件および検索結果レベルテーブル３００の項目３０１に対応する項目についてのみ設定する構成になっているが、これに限定されることなく、次のようにしてもよい。
【００７１】
すなわち、個々のユーザは、管理ユーザインタフェースにおいて、例えば出力可能保証条件名３０２、アクション３１０の各項目に関しては、それぞれの項目に対応して用意された複数の選択肢の中から所望の選択肢を選択し設定する。
【００７２】
この場合、選択された所望の選択肢としての出力可能保証条件名が決定されることで、これに対応する属性名が出力可能保証条件および検索結果レベルテーブル３００の項目３０３に対応する項目に設定されるとともに、その属性の属性値「Ｔｒｕｅ」，「Ｆａｌｓｅ」が出力可能保証条件および検索結果レベルテーブル３００の項目３０６に対応する項目に設定されるようにする。
【００７３】
そして、管理ユーザインタフェースにおいて、出力可能保証条件および検索結果レベルテーブル３００の項目３０１，３０４，３０５，３０７，３０８，３０９に対応する複数の項目については、個々のユーザが任意の情報を設定するようにする。もちろん、管理ユーザインタフェースにおいて、上記出力可能保証条件名３０２に対応する項目において設定された単数または複数の出力可能保証条件名の出力可能保証条件（２次検索条件）に対して、上記必須設定３０５に対応する項目には全て任意を示す旨を設定するようにしてもよい。
【００７４】
次に、情報検索装置１による検索処理について、図４を参照して説明する。
【００７５】
図４はその検索処理の処理手順を示すフローチャートである。
【００７６】
ここでは、図２に示すＧＵＩ２００、および図３に示す出力可能保証条件および検索結果レベルテーブル３００に基づき検索処理が実施されるものとする。
【００７７】
上述したＧＵＩ２００（図２参照）がディスプレイなどの表示装置（図示せず）に表示されている状態で、「チェック」２２０が押下されると、検索条件取得部１０は、そのＧＵＩ２００の検索条件領域２０６に記載されている１次検索条件つまり図面番号、版番号、ベンダー名などの１次検索条件を取得し（ステップＳ１０１）、これら取得した（読み込んだ）１次検索条件を検索実行部２０へ出力する。
【００７８】
本実施の形態では、検索条件領域２０６の先頭の行に記載されている１次検索条件から最終の行に記載されている１次検索条件へと順に、当該１次検索条件に従って検索処理が実施されるようになっている。
【００７９】
したがって、ステップＳ１０１では、最初に図面番号「ＤＷＧ００１」、版番号「１」およびベンダー名「ＦＦＦＸＸＸ］の１次検索条件が取得される。
【００８０】
検索実行部２０は、その１次検索条件に従ってデータベース１２０を検索し（ステップＳ１０２）、この検索した結果としての検索対象情報を出力可能保証条件検索実行部６０に渡して２次検索条件での検索処理を依頼する。
【００８１】
出力可能保証条件検索実行部６０は、出力可能保証条件／検索結果レベル定義記録部５０に２次検索条件情報が記憶されているか否か、つまり出力可能保証条件の指定があるか否かを判断し（ステップＳ１０３）、２次検索条件情報が出力可能保証条件／検索結果レベル定義記録部５０に記憶されているので、出力可能保証条件の指定があると判断した場合は、出力可能保証条件／検索結果レベル定義記録部５０から出力可能保証条件／検索結果レベルテーブル３００を読み込む（ステップＳ１０４）。
【００８２】
出力可能保証条件検索実行部６０は、読み込んだ出力可能保証条件／検索結果レベルテーブル３００の優先順位３０４の項目に設定されている優先順位に基づく２次検索条件（属性名３０３の項目に設定されている属性名に対応する２次検索条件）に従って、検索実行部２０から渡された検索処理の結果を検索し（ステップＳ１０５）、この検索処理の結果を検索結果レベル判定部７０へ出力する。
【００８３】
すなわち、出力可能保証条件検索実行部６０は、優先順位３０４の項目に設定されている優先順位に従って、属性名３０３に設定されている属性名に対応する２次検索条件に基づき、検索実行部２０から渡された検索処理の結果（検索対象情報）を評価し、この評価した結果、換言すれば属性値を検索結果レベル判定部７０へ出力する。
【００８４】
ここで、２次検索条件に基づき検索対象情報を評価した結果、その検索対象情報が２次検索条件に適合する場合には属性値「Ｔｒｕｅ」が、一方、その検索対象情報が２次検索条件に適合しない場合は属性値「Ｆａｌｓｅ」が、それぞれ検索結果レベル判定部７０に向けて出力される。
【００８５】
例えば、優先順位が１位であり必須の検索条件である出力可能保証条件名「最新版保証」の最新版保証条件（２次検索条件）に基づき上記検索対象情報が評価され、この検索対象情報が、最新版保証条件（２次検索条件）に適合する場合には属性値「Ｔｒｕｅ」が、一方、２次検索条件に適合しない場合は属性値「Ｆａｌｓｅ」が、それぞれ検索結果レベル判定部７０に向けて出力される。
【００８６】
出力可能保証条件検索実行部６０による評価処理の結果（評価結果）としての属性値を受け取った検索結果レベル判定部７０は、出力可能保証条件／検索結果レベル定義記録部５０から出力可能保証条件／検索結果レベルテーブル３００を読み込み、この出力可能保証条件／検索結果レベルテーブル３００と前記評価結果としての属性値とを基に、検索結果はＯＫであるか否か（検索結果レベル＝ＯＫであるか否か）つまり前記評価結果としての属性値に対応して結果レベル３０７の項目に「ＯＫ」が設定されているか否かを判断する（ステップＳ１０６）。
【００８７】
次に、検索結果レベル判定部７０は、ステップＳ１０６において、前記評価結果としての属性値に対応して、結果レベル３０７の項目に「要チェック」または「ＮＧ」が設定されているので、結果レベル＝ＯＫではないと判断した場合は、検索結果レベル記憶部８０の記憶内容（フラグ情報）を参照して、既に結果レベルの設定はあるか否かを判断する（ステップＳ１０７）。
【００８８】
ここで、検索結果レベル記憶部８０に結果レベルおよび識別色が記憶されている場合には結果レベルの設定があると判断され、一方、検索結果レベル記憶部８０に結果レベルおよび識別色が記憶されていない場合は結果レベルの設定はなしであると判断される。
【００８９】
さて、検索結果レベル判定部７０は、ステップＳ１０７において既に結果レベルの設定はないと判断した場合には、ステップＳ１０６で判定した結果レベル（「要チェック」または「ＮＧ」）、およびその結果レベルに対応する識別色３０８の項目に設定されている色情報を検索結果レベル記憶部８０に格納し（ステップＳ１０８）、一方、ステップＳ１０７において既に結果レベルの設定があると判断した場合は、フラグ情報（結果レベル複数存在フラグ）＝１とする（ステップＳ１０９）。
【００９０】
例えば、優先順位が１位であり必須の検索条件である出力可能保証条件名「最新版保証」の最新版保証条件（２次検索条件）に基づき上記検索対象情報が評価された場合、当該最新版保証条件（２次検索条件）が最初の２次検索条件であるので、検索結果レベル記憶部８０には未だ結果レベルが記憶されていないことになり、ステップＳ１０８の処理が実行される。この場合、検索レベル「要チェック」および識別色「黄色」が検索結果レベル記憶部８０に記憶される。
【００９１】
検索結果レベル判定部７０は、ステップＳ１０６において結果レベル＝ＯＫであると判断した場合は、その結果レベル（ＯＫ）を検索結果レベル記憶部８０に格納する（ステップＳ１１０）。
【００９２】
そして、読み込んだ出力可能保証条件／検索結果レベルテーブル３００の出力可能保証条件名に対応する２次検索条件のうち、必須の２次検索条件、任意に設定された２次検索条件について、条件ごとに、ステップＳ１０５からステップＳ１１０の処理が繰り返し実施される。
【００９３】
すなわち、実施の形態では、優先順位が１位である出力可能保証条件名「最新版保証」の最新版保証条件（２次検索条件）は、必須の検索条件であるので評価処理において適用される。
【００９４】
また、優先順位が２位である出力可能保証条件名「出図承認」の出図承認条件（２次検索条件）、および優先順位が３位である出力可能保証条件名「改訂要求」の改訂要求条件（２次検索条件）は、任意の検索条件であるものの出力可能保証条件／検索結果レベルテーブル３００の条件選択設定３０１の項目で「適用すべき旨」が設定されているので（図３参照）、評価処理において適用される。
【００９５】
なお、出図承認条件および改訂要求条件のうち何れかの２次検索条件に対応して上記「適用すべき旨」が設定されている場合には、当該２次検索条件のみが評価処理において適用される。しかし出図承認条件および改訂要求条件の何れにおいても上記「適用すべき旨」が設定されていない場合は、これらの２次検索条件は評価処理において適用されない。
【００９６】
検索結果レベル判定部７０は、２次検索条件毎の出力可能保証条件検索実行部６０からの評価処理の結果（評価結果）としての属性値に基づくレベル判定処理が終了した場合はその旨を検索結果表示部１００へ通知する。
【００９７】
すると、検索結果表示部１００は、検索レベル記憶部８０を参照して、結果レベルおよび識別色の設定があるか否かを判断し（ステップＳ１１１）、結果レベルおよび識別色の設定がある場合は、結果レベル複数存在フラグ＝１であるか否かを判断する（ステップＳ１１２）。
【００９８】
検索結果表示部１００は、ステップＳ１１２において結果レベル複数存在フラグ＝１であると判断した場合には、検索結果の行を識別色で表示するとともに検索条件を白抜きで表示し（ステップＳ１１３）、一方、結果レベル複数存在フラグ＝１ではないと判断した場合は、検索結果の行を識別色で表示する（ステップＳ１１４）。
【００９９】
ここで、検索結果の行（セルの背景）が識別色で表示され、かつ検索条件（図面番号などの検索条件の文字）が白抜きで表示されるということは、１次検索条件に適合するとして検索された検索対象情報（図面）が、複数の２次検索条件に適合しないことを意味する。例えば、検索結果の行（セルの背景）が識別色「黄色」で表示され、かつ検索条件（図面番号などの検索条件の文字）が白抜きで表示されるということは、１次検索条件に適合するとして検索された検索対象情報（図面）が、最新版保証条件と、出図承認条件および改訂要求条件の少なくとも一方の条件とに適合しないこと（結果レベルが「ＮＧ」または「ＣＨＫ］であること）を意味する。
【０１００】
ステップＳ１１１において結果レベルおよび識別色の設定がないと判断した検索結果表示部１００は、検索結果の行を通常の色で表示する（ステップＳ１１５）。
【０１０１】
ステップＳ１１３を終了した場合、ステップＳ１１４を終了した場合、ステップＳ１１５を終了した場合、検索実行部２０は、全ての１次検索条件について検索処理（１次検索処理）を実施したか否かを判断し（ステップＳ１１６）、次の１次検索条件が存在する場合には、ステップＳ１０１に戻り、一方、全ての１次検索条件について検索処理を実施した場合はこの処理を終了する。
【０１０２】
次に、情報検索装置１による検索処理の具体例について、参照して説明する。
【０１０３】
図５は、図２に示す図面番号「ＤＷＧ００１」、版番号「１」およびベンダー名「ＦＦＦＸＸＸ］の１次検索条件に対応して、検索実行部２０が当該１次検索条件に従って検索処理した結果を、出力可能保証条件検索部６０が図３に示す出力可能保証条件および検索結果レベルテーブル３００に基づき評価した結果を示している。
【０１０４】
すなわち、図面番号「ＤＷＧ００１」、版番号「１」およびベンダー名「ＦＦＦＸＸＸ］の１次検索条件に適合した検索対象情報（図面）の評価の結果として、結果２０４に「ＯＫ」が表示されている。これは、当該検索対象情報（図面）は最新版であることが保証されていることを意味する。
【０１０５】
図６は、図面番号「ＤＷＧ００３」、版番号「１」およびベンダー名「ＦＦＦＸＸＸ］の１次検索条件に対応して、検索実行部２０が当該１次検索条件に従って検索処理した結果を、出力可能保証条件検索部６０が図３に示す出力可能保証条件および検索結果レベルテーブル３００に基づき評価した結果を示している。
【０１０６】
すなわち、図面番号「ＤＷＧ００３」、版番号「１」およびベンダー名「ＦＦＦＸＸＸ］の１次検索条件に適合した検索対象情報（図面）の評価の結果として、結果２０４に「ＣＨＫ」が表示され、アクション２０５にアクションボタン「ビューワー」が表示されている。これは、当該検索対象情報（図面）は旧版であり、最新版のものが存在するので今回検索された検索対象情報（図面）を確認する必要があることを意味する。
【０１０７】
ここで、図６に示すＧＵＩ２００の表示状態での、検索結果レベル記憶部８０に記憶されている結果レベル、識別色および結果レベル複数存在フラグ、アクションラベルの情報の一例を、図７（ａ）に示す。
【０１０８】
図６に示す例の図面番号「ＤＷＧ００１」、版番号「１」およびベンダー名「ＦＦＦＸＸＸ］の１次検索条件に適合した図面に関し、最新版としての例えば版番号「３」の図面が存在する場合、検索結果レベル記憶部８０には、図７（ａ）に示すように、図面番号「ＤＷＧ００３」に対応して、最新版保証条件のみに関して、結果レベル「ＣＨＫ］、識別色「黄色」、アクションラベル「ビューワー」がそれぞれ記憶される。
【０１０９】
ここで、図６に示す例の図面番号「ＤＷＧ００３」、版番号「１」およびベンダー名「ＦＦＦＸＸＸ］の１次検索条件に適合した図面が、出図承認が行われていない図面（版番号「１」であり改訂要求はされていない図面）の場合、検索結果レベル記憶部８０には、図７（ｂ）に示すように、図面番号「ＤＷＧ００３」に対応して、出図依頼条件のみに関して、結果レベル「ＮＧ」、識別色「赤色」、アクションラベル「承認依頼」がそれぞれ記憶される。
【０１１０】
そのため、図７（ｂ）に示す内容に基づきＧＵＩ２００が表示されたときは、図面番号「ＤＷＧ００３」が記載されている行（検索結果の行）が指定された識別色「赤色」で表示される。
【０１１１】
次に、図６に示す例の図面番号「ＤＷＧ００３」、版番号「１」およびベンダー名「ＦＦＦＸＸＸ］の１次検索条件に適合した図面に関し、最新版としての例えば版番号「３」の図面が存在し、かつ当該１次検索条件に適合した図面が版番号「１」の図面であるものの当該図面にかかわる出図承認が行われていない場合（最新版保証条件に対応して結果レベルは「ＣＨＫ」、出図承認条件に対応して結果レベルは「ＮＧ］の場合）、検索結果レベル記憶部８０には、図７（ｃ）に示すように、図面番号「ＤＷＧ００３」に対応して、優先順位が「１位」の最新版保証条件に関して、結果レベル「ＣＨＫ」、識別色「黄色」、アクションラベル「ビューワー」、および結果レベル複数フラグの値「１」がそれぞれ記憶される。
【０１１２】
そのため、図７（ｃ）に示す内容に基づきＧＵＩ２００が表示されたときは、例えば図６に示す内容で、かつ図面番号「ＤＷＧ００３」が記載されている行（検索結果の行）が指定された識別色「黄色」で表示され、しかも図面番号「ＤＷＧ００３」、版番号「１」およびベンダー名「ＦＦＦＸＸＸ］を含む１次検索条件の文字が例えば白抜きで表示される。
【０１１３】
ところで、図２に示すＧＵＩ２００の検索条件領域２０６に記載されている７つの１次検索条件について２次検索処理も含めて検索処理が終了した場合の、検索結果レベル記憶部８０の記憶内容が、図８に示す内容であるとする。その検索結果レベル記憶部８０の記憶内容に基づきＧＵＩ２００が表示されたときは、例えば図９に示す表示内容となる。
【０１１４】
この図９に示すＧＵＩ２００のアクション２０５の項目に表示されているアクションボタン「ビューワー」がアクションボタン指示部１１０によって指示されると、アクション実行部９０は、指示されたアクションボタンに対応するアクションコマンド「ビューワー起動」を実行する。これにより、図面番号「ＤＷＧ００３」、版番号「１」およびベンダー名「ＦＦＦＸＸＸ］の１次検索条件に適合する検索対象情報（図面）の内容が、表示装置（図示せず）に表示される。
【０１１５】
その検索操作を行ったユーザ（オペレータ）は、起動されたアクションコマンド「ビューワー（画像ファイルなどの内容を確認すためのソフトウェア）」が実行されることで表示装置（図示せず）に表示された図面の内容を確認することができる。
【０１１６】
また、図９に示すＧＵＩ２００のアクション２０５の項目に表示されているアクションボタン「承認依頼」あるいは「確認依頼」がアクションボタン指示部１１０によって指示されると、アクション実行部９０は、指示されたアクションボタンに対応するアクションコマンド「承認依頼メール発送プログラム起動」あるいは「出力確認依頼メール発送プログラム起動」を実行する。
【０１１７】
これにより、起動されたアクションコマンド「承認依頼メール発送プログラム」あるいは「出力確認依頼メール発送プログラム」の実行により、予め設定された承認依頼先のメールアドレス宛てに該当する図面に関しての承認依頼のメールが送信されるか、あるいは出力確認依頼先のメールアドレス宛てに該当する図面に関しての出力確認依頼のメールが送信される。
【０１１８】
上述したように、１次検索条件に従って検索処理された結果を２次検索条件に基づき評価した結果が、２次検索条件に適合しない旨の場合は、図９に示すＧＵＩ２００の結果２０４の項目の欄に示すように、「ビューワー」、「承認依頼」、「確認依頼」のいずれかの結果レベルが表示されるので、当該検索操作したユーザ（オペレータ）は、１次検索条件および２次検索条件による検索処理の結果を視覚的に確認することができる。
【０１１９】
また、図９に示すＧＵＩ２００の結果２０４の項目に結果レベル「ＯＫ」が表示されている検索結果のものについては、出力可能であることが保証されているので、当該検索操作したユーザ（オペレータ）は、該当する図面については所定の作業、例えば該当する図面を印刷処理する操作作業に移行することができる。
【０１２０】
本実施の形態では、１次検索条件に適合するとして検索された検索対象情報（図面）が、複数の２次検索条件に適合しない場合に、検索結果の行（セルの背景）を識別色で表示するとともに検索条件（図面番号などの検索条件の文字）を白抜きで表示するようにしているが、これに限定されることなく、検索結果の行（セルの背景）を識別色で点滅表示するようにしてもよい。この場合、検索結果の行（セルの背景）が識別色で点灯表示の場合には１つの２次検索条件に適合しないことを意味し、一方、検索結果の行（セルの背景）が識別色で点滅表示の場合は２つ以上の２次検索条件に適合しないことを意味する。
【０１２１】
図１０は、情報検索装置１のハードウェア構成を示している。
【０１２２】
図１０に示すように、情報検索装置１は、ＣＰＵ（Ｃｅｎｔｒａｌ  Ｐｒｏｃｅｓｓｉｎｇ  Ｕｎｉｔ：中央演算処理装置）４１０、ハードディスクなどの記憶装置４２０、ＲＡＭ（Ｒａｎｄｏｍ  Ａｃｃｅｓｓ  Ｍｅｍｏｒｙ：随時書き込み読み出しメモリ)４３０、ＲＯＭ（Ｒｅａｄ  Ｏｎｌｙ  Ｍｅｍｏｒｙ：読み出し専用メモリ)４４０、入力装置４５０、表示装置４６０および通信Ｉ／Ｆ４７０を備えている。
【０１２３】
記憶装置４２０は、図１の出力可能保証条件／検索結果レベル定義記憶部５０の機能を果たすものであり、出力可能保証条件および検索結果レベル定義情報３００（図３参照）を格納している。
【０１２４】
また、記憶装置４２０は、図１の検索条件取得部１０、検索実行部２０、出力可能保証条件指定部３０、出力可能保証条件／検索結果レベル定義設定部４０、出力可能保証条件検索実行部６０、検索結果レベル判定部７０、およびアクション実行部９０の各機能を実現させるプログラム、上述した情報検索処理の処理手順（図４参照）に対応するプログラムを含む所定のプログラム（情報検索プログラム）４２０Ａを格納している。
【０１２５】
なお、情報検索プログラム４２０は、少なくとも次の（１）、（２）の処理過程を含んでいる。
【０１２６】
（１）第１の検索条件に従って検索された検索対象情報を、出力可能であることを保証する第２の検索条件（出力可能保証条件）を基に評価する評価処理過程。
【０１２７】
（２）上記評価処理過程により評価された結果を提示手段に提示させる提示処理過程。
【０１２８】
ＲＯＭ４４０は、「ビューワー起動」、「承認依頼メール発送プログラム起動」、「出力確認依頼メール発送プログラム起動」の各アクションコマンド、これらのアクションコマンドに対応するソフトウェアあるいはプログラム（ビューワー、承認依頼メール発送プログラム、出力確認依頼メール発送プログラム）、承認依頼先のメールアドレス、出力確認依頼先のメールアドレスなどを記憶している。
【０１２９】
ＲＡＭ４３０は、図１の検索結果レベル記憶部８０の機能を果たすものであり、例えば図７や図８に示した結果レベル、識別色および結果レベル複数存在フラグを記憶する。
【０１３０】
また、ＲＡＭ４３０は、記憶装置４２０から読み込まれた情報検索プログラム４２０Ａ、ＲＯＭ４４０から読み込まれたアクションコマンドやこれに対応するプログラム、検索処理の際に必要となる管理ユーザインタフェース、ＧＵＩ２００（例えば図２、図９参照）を記憶する。
【０１３１】
表示装置４６０は、１次検索条件の設定および検索処理（１次検索条件および２次検索条件に基づく検索処理）の結果の表示を行うためのＧＵＩ２００（例えば図２、図９参照）、２次検索条件の設定を行うための管理ユーザインタフェースを表示する。
【０１３２】
入力装置４５０は、マウスなどのポインティングデバイスやキーボードで構成され、たとえばＧＵＩ２００に対して１次検索条件の入力や、管理ユーザインタフェースに対しての２次検索条件の入力、ＧＵＩ２００のアクション２０５の項目に表示されたアクションボタンの指示を行う。
【０１３３】
ＣＰＵ４１０は、情報検索装置１全体を統括的に制御するものであり、例えば、記憶装置４２０からＲＡＭ４３０へ情報検索プログラム４２０Ａを読み込んで実行することで情報検索処理を実施する。この情報検索処理に際し、ＣＰＵ４１０は、１次検索条件に適合する検索対象情報を、通信インタフェース（通信Ｉ／Ｆ）４７０を介して図１のデータベース１２０の機能を果たす外部記憶装置５００から検索する。
【０１３４】
また、ＣＰＵ４１０は、ＲＯＭ４４０からＲＡＭ４３０へアクションコマンドやこれに対応するプログラムを読み込んで実行することにより、検索処理（評価処理）の結果として表示され指示されたアクションボタンに対応するアクションを実行する。
【０１３５】
本願明細書において、情報検索装置の各機能を実現し、上記情報検索処理の処理手順（図４参照）を示すプログラムを含む所定のプログラム（情報検索プログラム）を記録媒体としてのハードディスク等の記憶装置に記録する実施形態として説明したが、当該所定のプログラムを次のようにして提供することも可能である。
【０１３６】
すなわち、上記所定のプログラムをＲＯＭに格納しておき、ＣＰＵが、このプログラムをこのＲＯＭから主記憶装置へローディングして実行するようにしても良い。
【０１３７】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしても良い。この場合、その記録媒体に記録されたプログラムを情報検索装置がインストールした後、このプログラムをＣＰＵが実行するようにする。このプログラムのインストール先としては、ＲＡＭ等のメモリやハードディスクなどの記憶装置がある。そして、情報検索装置は、必要に応じてこの記憶装置に記憶したプログラムを主記憶装置にローディングして実行する。
【０１３８】
さらには、情報検索装置を通信回線（例えばインターネット）を介してサーバ装置あるいはホストコンピュータ等のコンピュータと接続するようにし、当該情報検索装置が、サーバ装置あるいはコンピュータから上記所定のプログラムをダウンロードした後、このプログラムを実行するようにしても良い。この場合、このプログラムのダウンロード先としては、ＲＡＭ等のメモリやハードディスクなどの記憶装置（記録媒体）がある。そして、当該情報検索装置が、必要に応じてこの記憶装置に記憶された上記プログラムを主記憶装置にローディングして実行するようにする。
【産業上の利用可能性】
【０１３９】
本発明は、図面、文書などの検索対象の情報を検索する情報検索装置に適用することができる。
【図面の簡単な説明】
【０１４０】
【図１】実施の形態に係る情報検索装置の機能構成を示すブロック図である。
【図２】実施の形態に係るグラフィックユーザインタフェースの一例を示す図である。
【図３】実施の形態に係る出力可能保証条件および検索結果レベルテーブルの一例を示す図である。
【図４】実施の形態に係る情報検索装置の検索処理の処理手順を示すフローチャートである。
【図５】実施の形態に係るグラフィックユーザインタフェースにおいて検索処理の結果が表示された様子を示す図である。
【図６】実施の形態に係るグラフィックユーザインタフェースにおいて検索処理の結果が表示された様子を示す図である。
【図７】実施の形態に係る検索結果レベル記憶部の記憶内容の一例を示す図である。
【図８】実施の形態に係る検索結果レベル記憶部の記憶内容の他の例を示す図である。
【図９】図８に示す検索結果レベル記憶部の記憶内容に基づき表示されたグラフィックユーザインタフェースを示す図である。
【図１０】実施の形態に係る情報検索装置のハードウェア構成を示す構成図である。
【符号の説明】
【０１４１】
１  情報検索装置
１０  検索条件取得部
２０  検索実行部
３０  出力可能保証条件指定部
４０  出力可能保証条件／検索結果レベル定義設定部
５０  出力可能保証条件／検索結果レベル定義記憶部
６０  出力可能保証条件検索実行部
７０  検索結果レベル判定部
８０  検索結果レベル記憶部
９０  アクション実行部
１００  検索結果表示部
１１０  アクションボタン指示部
４１０  ＣＰＵ
４２０  記憶装置
４２０Ａ  情報検索プログラム
４３０  ＲＡＭ
４４０  ＲＯＭ
４５０  入力装置
４６０  表示装置
【図１】
2009064084.tif 000003
【図２】
2009064084.tif 000004
【図３】
2009064084.tif 000005
【図４】
2009064084.tif 000006
【図５】
2009064084.tif 000007
【図７】
2009064084.tif 000008
【図８】
2009064084.tif 000009
【図１０】
2009064084.tif 000010
【図６】
2009064084.tif 000011
【図９】
2009064084.tif 000012